(57)【要約】【課題】雨水を有効利用するための十分な貯溜量を簡易な施行で確保することのできるメンテナンス性の良好な雨水貯溜配管構造を提供する。【解決手段】雨水桝Ｕ１と雨水桝Ｌ１を繋ぐ配管設備の内部に雨水を貯溜する雨水貯溜配管構造であって、上流側と下流側に設置された少なくとも２つ以上の雨水桝Ｕ１，Ｌ１と、該雨水桝Ｕ１，Ｌ１に接続された、上流側の雨水桝Ｕ１に流入した雨水を下流側の雨水桝Ｌ１に排水するための排水管路２と、該雨水桝Ｕ１，Ｌ１に接続された、雨水を貯溜するための貯溜管路３と、を備え、貯溜管路３と排水管路２は、上下方向に重ならない位置に接続されており、且つ、貯溜管路３は排水管路２よりも低い位置に接続されている構成とする。雨水を貯溜する専用の貯溜管路３を設けることで、相当量の雨水が貯溜可能となり、都市型洪水の軽減に寄与すると共に、その貯溜した雨水を有効利用することができる。【選択図】図１
2014015800.tif 000002
【特許請求の範囲】
【請求項１】
雨水桝と雨水桝を繋ぐ配管設備の内部に雨水を貯溜する雨水貯溜配管構造であって、
上流側と下流側に設置された少なくとも２つ以上の雨水桝と、
該雨水桝に接続された、上流側の雨水桝に流入した雨水を下流側の雨水桝に排水するための排水管路と、
該雨水桝に接続された、雨水を貯溜するための貯溜管路と、を備え、
貯溜管路と排水管路は、上下方向に重ならない位置に接続されており、且つ、貯溜管路は排水管路よりも低い位置に接続されていることを特徴とする雨水貯溜配管構造。
【請求項２】
排水管路の両端が、上流側と下流側の雨水桝の相対面する位置にそれぞれ接続されており、貯溜管路が、排水管路から３０°以上ずれた位置に接続されていることを特徴とする請求項１に記載の雨水貯溜配管構造。
【発明の詳細な説明】
【技術分野】
【０００１】
本発明は、宅地内に埋設された配管設備の内部に雨水を貯溜することで、集中豪雨時の河川や下水道施設への負荷を低減させると共に、その貯溜した雨水を有効利用できるようにした雨水貯溜配管構造に関するものである。
【背景技術】
【０００２】
近年、道路や空き地（駐車場等）の舗装化が急速に進み、未舗装部分が殆どない都市化の進んだ地域が増えてきている。このような地域では、雨水が殆ど地中に浸透することなく、道路の側溝や下水道排水管などを通じて河川へ流れ込むため、短時間で河川の容量を超えて所謂、都市型洪水を引き起し、社会問題となってきている。その一方で、乾期には雨が殆ど降らず、各地で取水制限が実施されている実態がある。これらの問題は、地球温暖化が要因とも言われる昨今の異常気象に伴い、これから益々深刻化していくものと思われる。
【０００３】
このような問題を緩和するため、宅地内に埋設された配管設備に雨水を一定量貯溜することで、河川や下水道施設への負荷を低減させると共に、その貯溜した雨水を植物の水やりや車の洗車等に有効利用する試みが実施されている。
【０００４】
その一つに、敷地内に埋設された横排水管に、建物に降雨した雨水を集水する集水部と、公共の下水道施設に繋がる受水槽が接続された雨水排水構造が提案されている（特許文献１）。
【０００５】
この特許文献１の雨水排水構造は、受水槽と公共の下水道施設を繋ぐ排水管の位置を、横排水管よりも高くすることで、集水部より横排水管を経由して受水槽に流入してきた雨水は、該排水管の接続箇所に水位が達するまで排水管から排水されず、これによって、横排水管及び受水槽を、雨水を一定量貯溜可能な貯水部としたものである。
【先行技術文献】
【特許文献】
【０００６】
【特許文献１】特開２０１１−０３８２９５号公報
【発明の概要】
【発明が解決しようとする課題】
【０００７】
しかしながら、上記特許文献１の雨水排水構造は、雨水を貯溜するスペースが横排水管と受水槽だけなので、集水部から受水槽までの距離が短い場合などは、雨水利用としての十分な雨水量を確保することが困難であった。
【０００８】
本発明は上記の問題に鑑みてなされたもので、その解決しようとする課題は、雨水を有効利用するための十分な貯溜量を簡易な施行で確保することのできるメンテナンス性の良好な雨水貯溜配管構造を提供することにある。
【課題を解決するための手段】
【０００９】
上記目的を達成するため、本発明に係る雨水貯溜配管構造は、雨水桝と雨水桝を繋ぐ配管設備の内部に雨水を貯溜する雨水貯溜配管構造であって、上流側と下流側に設置された少なくとも２つ以上の雨水桝と、該雨水桝に接続された、上流側の雨水桝に流入した雨水を下流側の雨水桝に排水するための排水管路と、該雨水桝に接続された、雨水を貯溜するための貯溜管路と、を備え、貯溜管路と排水管路は、上下方向に重ならない位置に接続されており、且つ、貯溜管路は排水管路よりも低い位置に接続されていることを特徴とするものである。
【００１０】
本発明の雨水貯溜配管構造においては、排水管路の両端が、上流側と下流側の雨水桝の相対面する位置にそれぞれ接続されており、貯溜管路が、排水管路から３０°以上ずれた位置に接続されていることが好ましい。
【発明の効果】
【００１１】
本発明の雨水貯溜配管構造は、上流側と下流側に設置された２つ以上の雨水桝に、排水管路よりも低い位置に貯溜管路を接続することで、雨水が貯溜管路内に一定量貯溜されるまでは排水管路から排水されないため、貯溜管路が雨水を貯溜するためのスペースとなる。このように、雨水を貯溜するための専用のスペースを設けることで、通常の配管設備に雨水を貯溜するだけの場合と比較すると、雨水利用としての十分な貯溜量を確保することができる。
また、貯溜管路と排水管路を上下方向に重ねて雨水桝に接続すると、少なくとも貯溜管路と排水管路の２本分以上の深さを有する深い雨水桝が必要となるため、施工やメンテナンス作業が煩雑になるが、本発明の雨水貯溜配管構造は、貯溜管路と排水管路を上下方向に重ならない位置に接続することで、浅い雨水桝でも実施できるようになり、施工性、メンテナンス性共に優れる。
【００１２】
また、排水管路の両端が、上流側と下流側の雨水桝の相対面する位置にそれぞれ接続されており、貯溜管路が、排水管路から３０°以上ずれた位置に接続されている雨水貯溜配管構造は、貯溜管路と排水管路の干渉を確実に防ぐことができる。そして、上流側と下流側に設置された雨水桝の間に１以上の雨水桝が設置されていたとしても、貯溜管路を、排水管路から３０°以上ずれた位置に接続することで、間に設置された雨水桝に貯溜管路を接続することなく貯溜管路を上流側及び下流側の雨水桝に配管することができる（換言すれば、間に設置された雨水桝を避けて配管できる。）ため、施工性がより向上すると共に、貯溜効率も非常に良好なものとなる。
【図面の簡単な説明】
【００１３】
【図１】本発明の一実施形態に係る雨水貯溜配管構造を示す概略斜視図である。
【図２】同配管構造の概略平面図である。
【図３】図２のＡ−Ａ断面図である。
【図４】図２のＢ−Ｂ断面図である。
【図５】図２のＣ−Ｃ断面図である。
【図６】同配管構造の概略正面図である。
【発明を実施するための形態】
【００１４】
以下、図面を参照して本発明の具体的な実施形態を詳述する。
【００１５】
本発明の雨水貯溜配管構造は、図１に示すように、上流側に設置された雨水桝Ｕ１と下流側に設置された雨水桝Ｌ１と、その雨水桝Ｕ１，Ｌ１に接続された、上流側の雨水桝Ｕ１に流入した雨水を下流側の雨水桝Ｌ１に排水するための排水管路２と、雨水桝Ｕ１，Ｌ１に接続された、雨水を貯溜するための貯溜管路３，３と、を備えたものであって、これらの配管設備の内部に雨水を貯溜することで、集中豪雨時の河川や下水道施設への負荷を低減させると共に、その配管内に貯溜した雨水を有効利用できるようにしたものである。
【００１６】
上流側に設置される雨水桝Ｕ１（以下、上流側雨水桝Ｕ１という。）は、耐久性や施工性に優れる合成樹脂製（ポリプロピレン製や塩化ビニル樹脂製）の桝であって、図３に示すように、その上端が開口し、下端が閉口したバケツ型をしている。この上流側雨水桝Ｕ１の上端には、断面形状が略凹型の蓋受部１ａが外側に向って突設されており、その蓋受部１ａに蓋体１ｂが載置されている。この蓋体１ｂは、宅地内に降った雨水が上流側雨水桝Ｕ１の内部に流入するように、複数の浸透孔１０ｂが穿孔されている。
尚、泥砂が多い場所などでは、浸透孔１０ｂが穿孔されていない蓋体１ｂを用いても良いことは言うまでもない。
【００１７】
また、この上流側雨水桝Ｕ１の周面には、図３、図４に示すように、排水管路２の接続口１ｃと、貯溜管路３の接続口１ｄ，１ｄと、流入管路４の接続口１ｅの合計４つの接続口が設けられている。これらの接続口１ｃ，１ｄ，１ｄ，１ｅは、次のような関係になっている。即ち、排水管路２の接続口１ｃの相対面する位置に流入管路４の接続口１ｅが設けられており、一方の貯溜管路３の接続口１ｄの相対面する位置にもう一方の貯溜管路３の接続口１ｄが設けられている（それぞれの接続口１ｃ，１ｄ，１ｅ，１ｄが９０°ずつずれて設けられている）。従って、この接続口１ｃ，１ｄ，１ｄに排水管路２及び貯溜管路３，３を接続すると、貯溜管路３，３と排水管路２は上下方向に重ならない位置（９０°ずれた位置）に接続されることになる。
【００１８】
また、貯溜管路３の２つの接続口１ｄ，１ｄは、略同じ高さの位置にあり、この貯溜管路３の接続口１ｄ，１ｄよりも高い位置に、排水管路２の接続口１ｃと流入管路４の接続口１ｅが設けられている（１ｄ＝１ｄ＜１ｃ≦１ｅ）。
尚、上記の接続口１ｃ，１ｄ，１ｄ，１ｅは、ホールソーなどで上流側雨水桝Ｕ１の周面に孔を穿孔することで設けられ、これら接続口１ｃ，１ｄ，１ｄ，１ｅの周面には、止水性を向上させる環状のシールパッキン１ｇが周設されている。このように孔を穿孔して接続口１ｃ，１ｄ，１ｄ，１ｅを設けることで、任意の箇所に接続口を設けることが可能となり、配管の自由度が向上するため施工性が良好なものとなり好ましいが、勿論、側壁に配管接続口が一体に形成された雨水桝でも良いことは言うまでもない。
【００１９】
上記のように、排水管路２の接続口１ｃは貯溜管路３の接続口１ｄ，１ｄよりも高い位置に設けられているが、貯溜管路３の接続口１ｄの上端は、排水管路２の接続口１ｃの下端よりも高い位置にある。従って、この接続口１ｃ，１ｄに排水管路２及び貯溜管路３を接続したとき、図６に示すように、貯溜管路３の上端は排水管路２の下端よりも高い位置になっている。これは、本発明が雨水を有効利用するための十分な貯溜量を確保すると共に、施工性・メンテナンス性の良好な雨水貯溜配管構造を提供することを目的としたものであるからであって、全高の高い桝（深い桝）を宅地内に埋設すると、そのメンテナンス作業が非常に煩雑なものとなるからである。従って、本発明は、上流側雨水桝Ｕ１が、全高の比較的低い雨水桝（浅い雨水桝）であっても、上記目的を実現可能にするために、貯溜管路３の接続口１ｄの上端を、排水管路２の接続口１ｃの下端よりも高い位置にしている。
尚、貯溜管路３の接続口１ｄの上端と排水管路２の接続口１ｃの下端を略同じ高さにすると、貯溜管路３の全てを貯溜スペースとして使用できると共に、雨水桝の全高も比較的低く抑えることができる。
【００２０】
このように、貯溜管路３の接続口１ｄの上端を排水管路２の接続口１ｃの下端よりも高い位置にすることで、浅い雨水桝でも雨水を貯溜可能にしているが、この構成を採用すると、排水管路２と貯溜管路３が干渉してしまう恐れが生じる。そこで本発明は、上記のように、貯溜管路３，３と排水管路２が上下方向に重ならないようにしているのである。この貯溜管路３は、排水管路２との干渉を防止するため、排水管路２から３０°以上ずれた位置に接続することが好ましい。貯溜管路３が排水管路２から４５°ずれた位置に接続するとより好ましく、本実施形態のように、９０°ずれた位置に接続すると、貯溜管路３と排水管路２の干渉を確実に防止することができるので最も好ましい。
尚、本実施形態の上流側雨水桝Ｕ１は略円筒形の雨水桝であるが、上流側雨水桝Ｕ１が角桝の場合、排水管路２の接続口１ｃや貯溜管路３の接続口１ｄを設けるのは、前面、後面、左面、右面のいずれかである。このときも貯溜管路３は排水管路２からずれた位置に接続することが好ましいので、排水管路２の接続口１ｃが前面に設けられた場合は、貯溜管路３の接続口１ｄは、後面、左面、右面のいずれかに設けることが好ましい。しかしながら、配管設備の取り回しの関係上、排水管路２の接続口１ｃと貯溜管路３の接続口１ｄを同じ面（例えば前面）に設けなければならない場合も想定される（排水管路２と貯溜管路３が同方向に接続されている）。このような場合（貯溜管路３と排水管路２が同じ面に、且つ、同方向に接続されている場合）も、メンテナンス作業性を向上させる（上流側雨水桝Ｕ１が浅い雨水桝でも実施可能にする）ため、貯溜管路３と排水管路２は上下方向に重ならない位置に接続することが好ましい。
【００２１】
次に、上記上流側雨水桝Ｕ１の下流側に設置される雨水桝Ｌ１（以下、下流側雨水桝Ｌ１という。）は、上流側雨水桝Ｕ１と同様のものであって、図５に示すように、その周面には、排水管路２の接続口１ｃと、貯溜管路３の接続口１ｄ，１ｄと、流出管路５の接続口１ｆの合計４つの接続口が設けられている。これらの接続口１ｃ，１ｄ，１ｄ，１ｆも、排水管路２の接続口１ｃの相対面する位置に流出管路５の接続口１ｆが、一方の貯溜管路３の接続口１ｄの相対面する位置にもう一方の貯溜管路３の接続口１ｄが設けられ、それぞれが９０°ずつずれた位置関係になっている。また、貯溜管路３の２つの接続口１ｄ，１ｄは、略同じ高さの位置にあり、この貯溜管路３の接続口１ｄ，１ｄよりも高い位置に、排水管路２の接続口１ｃが設けられ（上記と同様に、貯溜管路３の上端は排水管路２の下端よりも高い位置）、その排水管路２の接続口１ｃよりも高い位置に流出管路５の接続口１ｆが設けられている（１ｄ＝１ｄ＜１ｃ＜１ｆ）。
【００２２】
流入管路４から上流側雨水桝Ｕ１に流入した雨水を下流側雨水桝Ｌ１に排水するための排水管路２は、流入管路４や流出管路５と同様に、通常の塩化ビニル樹脂製の円筒形のパイプであって、図２に示すように、その両端は、上流側雨水桝Ｕ１と下流側雨水桝Ｌ１の相対面する位置（接続口１ｃ，１ｃ）にそれぞれ接続されている。
【００２３】
更に、上記上流側雨水桝Ｕ１と下流側雨水桝Ｌ１の接続口１ｄ，１ｄ，１ｄ，１ｄに接続される雨水を貯溜するための貯溜管路３，３は、図２に示すように、複数の貯溜排水管３ａと、貯溜排水管３ａと貯溜排水管３ａとを接続する９０°屈曲した曲がり継手３ｂから構成されたもので、この貯溜排水管３ａは、上記排水管路２と同様の塩化ビニル樹脂製の円筒形のパイプが用いられている。また、曲がり継手３ｂは、通常の９０°エルボ継手でもよいが、９０°エルボ継手を用いて貯溜排水管３ａと貯溜排水管３ａを接続すると、曲率半径が大きくなって相応の配管スペースが必要となるため、Ｌ字継手やコの字継手等の曲がり継手３ｂが用いられている。このように通常の配管設備に用いられる部材（貯溜排水管３ａ，曲がり継手３ｂ）で貯溜管路３を構成することで、専用品を用いなくとも雨水の貯溜が可能となり、その貯溜量も容易に変更することができる。
尚、本実施形態では、貯溜排水管３ａと貯溜排水管３ａを上記９０°屈曲した曲がり継手３ｂを用いて接続しているが、宅地内の配管経路の関係上、９０°の曲がり継手３ｂを用いるのが適当でない場合は、３０°の曲がり継手や４５°の曲がり継手を用いて、或いは、それらの曲がり継手と上記の９０°曲がり継手３ｂの双方を用いて貯溜管路３を形成すればよい。
【００２４】
この貯溜管路３の一端（貯溜排水管３ａ）は上記上流側雨水桝Ｕ１の貯溜管路３の接続口１ｄに接続されており、貯溜管路３の他端（貯溜排水管３ａ）は、曲がり継手３ｂによって屈曲しながら下流側雨水桝Ｌ１の接続口１ｄに接続されている。この貯溜管路３には、上流側雨水桝Ｕ１から下流側雨水桝Ｌ１に向って若干の流れ勾配が設けられている。このように貯溜管路３に流れ勾配を設けると、上流側雨水桝Ｕ１から貯溜管路３に流入した雨水が下流側雨水桝Ｌ１に向って流れるので、下流側雨水桝Ｌ１にポンプやバケツなどの取水手段（不図示）を設けることで、容易に取水できるようになり、その取水した雨水を植物の水やりや車の洗車等に有効利用することができる。
【００２５】
尚、上記貯溜管路３には、メンテナンスの際に利用する点検部（不図示）を設けることが好ましい。この点検部は、貯溜管路３の内部をメンテナンスできるのであればどのようなものでも構わないが、例えば、上部に点検口が設けられた略逆Ｔ字型のストレート桝を点検部とし、そのストレート桝の接続口に貯溜排水管３ａを接続すれば簡単に設置できると共に、点検口より貯溜管路３の内部をメンテナンスできるので好ましい。また、点検部を複数設けると、よりメンテナンス作業性が向上するので好ましく、貯溜管路３に通期手段を設けることがより好ましい。貯溜管路３に通期手段を設けると、空気の逃げ道が確保されて貯溜管路３内部に空気が滞留するのを防止することができるため、上流側雨水桝Ｕ１に流入した雨水は貯溜管路３にスムーズに流入して、貯溜管路３内の略全スペースに雨水を貯溜することが可能となる。この通期手段と点検部を兼ねて上記逆Ｔ字型のストレート桝を利用することが最も好ましい。
【００２６】
以上のような構成の上流側雨水桝Ｕ１、下流側雨水桝Ｌ１、排水管路２と貯溜管路３が埋設される宅地内には、図１に示すように、複数の雨水桝１０と、それらを連結する流入管路４が埋設されている。宅地内に埋設された雨水桝１０は、上記上流側雨水桝Ｕ１及び下流側雨水桝Ｌ１と同様のものが用いられている。
【００２７】
流入管路４の上流側端部は竪樋７の下端部に接続されており、下流側端部は上流側雨水桝Ｕ１の接続口１ｅに接続されている。上流側雨水桝Ｕ１と下流側雨水桝Ｌ１の接続口１ｃ，１ｄには、排水管路２と貯溜管路３がそれぞれ接続されており、下流側雨水桝Ｌ１の接続口１ｆには流出管路５の上流側端部が接続され、流出管路５の下流側端部は公共の雨水排水本管９へ接続されている。
【００２８】
このような配管設備において、家屋の屋根８に降った雨水は、屋根８の周囲に設けられた軒樋６に集水されて竪樋７を流下し、流入管路４を経て上流側雨水桝Ｕ１に流入する。また、上流側雨水桝Ｕ１及び下流側雨水桝Ｌ１の上端開口を覆う蓋体１ｂには、多数の浸透孔１０ｂが穿孔されており、宅地内に埋設された雨水桝１０にも同様の浸透孔が設けられているので、宅地内の庭に降った雨水もその浸透孔１０ｂを通して配管設備内部に流入するようになっている。
【００２９】
上記のような経路で上流側雨水桝Ｕ１に流入してきた雨水は、図４に示すように、排水管路２の接続口１ｃが貯溜管路３の接続口１ｄよりも高い位置にあるので、直ぐに排水管路２からは排水されずに、まず貯溜管路３へと流入する。そして、貯溜管路３内部が略満水になり、上流側雨水桝Ｕ１内部の水位が排水管路２まで達すると、ようやく排水管路２より下流側雨水桝Ｌ１に排水される。排水管路２から雨水が排水されるときには、既に貯溜管路３を通じて下流側雨水桝Ｌ１の内部にも雨水が一定量貯溜されている状態であり、下流側雨水桝Ｌ１に流入した雨水は、流出管路５から公共の雨水排水本管９へと流出していく。ここで下流側雨水桝Ｌ１の流出管路５の接続口１ｆは、図５に示すように、排水管路２の接続口１ｃよりも高い位置にあるので、下流側雨水桝Ｌ１の水位が流出管路５の下端に達するまでは、排水管路２も雨水の貯溜スペースとして利用される。
尚、上流側雨水桝Ｕ１から下流側雨水桝Ｌ１までの距離が長いときは、上流側雨水桝Ｕ１と下流側雨水桝Ｌ１の間に１以上の雨水桝１０を設置してもよく、その場合は、その雨水桝１０をかわせる位置まで貯溜管路３を上流側雨水桝Ｕ１と下流側雨水桝Ｌ１から外方向に突出させ、そのあと曲がり継手３ｂで屈曲させて排水管路２と略平行になるように配管すればよい。
【００３０】
以上の説明から明らかなように、本発明の雨水貯溜配管構造は、宅地内に埋設された通常の配管設備に、雨水を貯溜する専用の貯溜管路３を設けることで、相当量の雨水が貯溜可能となり、河川や下水道施設への負荷を低減して都市型洪水の軽減に寄与すると共に、その貯溜した雨水を植物の水やりや車の洗車等に有効利用することができるようになる。また、深い桝を埋設しなくてもよいため、施工性やメンテナンス作業性共に優れるものである。
【符号の説明】
【００３１】
Ｕ１  雨水桝（上流側）
Ｌ１  雨水桝（下流側）
１０  雨水桝
１ａ  蓋受部
１ｂ  蓋体
１０ｂ  浸透孔
１ｃ  接続口（排水管路）
１ｄ  接続口（貯溜管路）
１ｅ  接続口（流入管路）
１ｆ  接続口（流出管路）
２    排水管路
３    貯溜管路
４    流入管路
５    流出管路
６    軒樋
７    竪樋
８    家屋の屋根
９    雨水排水本管
【図１】
2014015800.tif 000003
【図２】
2014015800.tif 000004
【図３】
2014015800.tif 000005
【図４】
2014015800.tif 000006
【図５】
2014015800.tif 000007
【図６】
2014015800.tif 000008